(57)【要約】【課題】プリント基板へのハンダ付けに依らずに確実にスイッチを固定することができる自動製氷機の駆動装置とその製造方法を提供するものである。【解決手段】製氷皿の位置を検出するスイッチ３２と、スイッチ３２を保持する保持部材３３と、これらの部品を収納するケース１６とで構成し、保持部材３３にスイッチ３２をスナップフィットで拘束する複数の片持梁３４を設け、複数の片持梁３４の一部はスイッチ３２が操作される方向と同じ方向にスイッチ３２を付勢するようにしたので、片持梁を撓ませながらスイッチ３２を装着すればスナップフィットで保持部材３３に装着される。さらにスイッチ３２は所定の方向に付勢されているのでガタツキなく保持できるので、プリント基板やハンダを使用する必要がなく、環境負荷物質である鉛の使用を抑制することができる。【選択図】  図５
2004156822.tif 000002
【特許請求の範囲】
【請求項１】
氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースとで構成され、前記保持部材に前記スイッチをスナップフィットで拘束する複数の片持梁を設け、前記複数の片持梁の一部は前記スイッチが操作される方向と同じ方向に前記スイッチを付勢していることを特徴とする自動製氷機の駆動装置。
【請求項２】
前記ケースには前記スイッチが付勢されている方向とは反対の方向から前記スイッチを支持する凸部が設けられていることを特徴とする請求項１に記載の自動製氷機の駆動装置。
【請求項３】
前記複数の片持梁は、前記スイッチが操作される方向と同じ方向へ前記スイッチを付勢する第１の片持梁部と、付勢された前記スイッチを止める第２の片持梁部で構成されたことを特徴とする請求項１に記載の自動製氷機の駆動装置。
【請求項４】
前記第１の片持梁部は、互いに向かい合い、かつ自由端が近づく方向に傾いていることを特徴とする請求項３に記載の自動製氷機の駆動装置。
【請求項５】
前記第２の片持梁部の自由端に、前記スイッチを止める係止部を設けたことを特徴とする請求項３に記載の自動製氷機の駆動装置。
【請求項６】
前記第２の片持梁部は、前記第１の片持梁部が前記スイッチを付勢する方向に対して垂直な方向へ、前記スイッチを付勢することを特徴とする請求項３に記載の自動製氷機の駆動装置。
【請求項７】
前記第１の片持梁部と前記第２の片持梁部に保持された前記スイッチは、前記ケースに収納されたとき、前記凸部と前記第１の片持梁部とによって挟まれ支持されることを特徴とする請求項３に記載の自動製氷機の駆動装置。
【請求項８】
前記スイッチが前記ケースに収納されたとき、前記凸部は前記第２の片持梁部の係止部から前記スイッチを離す方向に前記スイッチを押すことを特徴とする請求項５に記載の自動製氷機の駆動装置。
【請求項９】
前記凸部の前記スイッチと接する部分は平面であることを特徴とする請求項８に記載の自動製氷機の駆動装置。
【請求項１０】
氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースと、前記保持部材に前記スイッチをスナップフィットで拘束する第１の片持梁部と第２の片持梁部を設け、前記スイッチを前記第２の片持梁部の自由端側から前記第１の片持梁部側に向かって挿入することで前記保持部材に保持させ、前記保持部材を前記ケースに収納することで、前記スイッチはさらに第１の片持梁部側へ押込まれ所定位置に固定されることを特徴とする自動製氷機の駆動装置の製造方法。
【発明の詳細な説明】
【０００１】
【発明の属する技術分野】
本発明は冷蔵庫等に搭載される自動製氷機の駆動装置に関するものである。
【０００２】
【従来の技術】
従来、冷蔵庫に搭載される自動製氷機の駆動装置には、モータの回転を減速歯車で製氷皿に伝達し、所定の回転位置で製氷皿に捻りを与えて離氷させるものが広く普及しており、以下図面を参照しながら説明する。
【０００３】
図９は従来の自動製氷機の駆動装置を示す断面図であり、駆動装置１は、外郭を形成する上ケース２と下ケース３で囲まれ、内部にはモータ４が配置され、モータ４の回転は減速歯車５によって出力軸６に伝達される。
【０００４】
出力軸６は製氷皿（図示せず）に連結されており、製氷皿を回転させて所定の位置で捻りを与えて離氷させる。
【０００５】
出力軸６は減速歯車５の最終段であるカム歯車７に成形されており、カム歯車７の回転位置をスイッチ８で検出することで製氷皿の位置を認識する。
【０００６】
スイッチ８はプリント基板９にハンダ付けによって固定された状態で下ケース３に保持されている（例えば、特許文献１参照。）。
【０００７】
【特許文献１】
特開２００１−３０４７３３号公報
【０００８】
【発明が解決しようとする課題】
しかしながら近年、地球環境保護の観点からハンダに含まれる鉛等の環境負荷物質を極力ゼロにする取組みが活発化しており、スイッチを固定するプリント基板のハンダも対象であり、新たなスイッチの固定方法を確立する必要がある。
【０００９】
本発明は上記従来の課題を解決するものであり、プリント基板へのハンダ付けに依らずに確実にスイッチを固定することができる自動製氷機の駆動装置とその製造方法を提供するものである。
【００１０】
【課題を解決するための手段】
本発明の請求項１に記載の発明は、氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースとで構成され、前記保持部材に前記スイッチをスナップフィットで拘束する複数の片持梁を設け、前記複数の片持梁の一部は前記スイッチが操作される方向と同じ方向に前記スイッチを付勢する構成である。
【００１１】
これによって、片持梁を撓ませながらスイッチを装着すればスナップフィットで保持部材に装着される。さらにスイッチは所定の方向に付勢されているのでガタツキなく保持できるので、プリント基板やハンダを使用する必要がなく、環境負荷物質である鉛の使用を抑制することができる。
【００１２】
次に、請求項２に記載の発明は、請求項１に記載の発明において、前記ケースに前記スイッチが付勢されている方向とは反対の方向から前記スイッチを支持する凸部を設けたものであり、付勢されたスイッチが凸部で位置決めされる。
【００１３】
次に請求項３に記載の発明は、請求項１に記載の発明において、前記複数の片持梁は、前記スイッチが操作される方向と同じ方向へ前記スイッチを付勢する第１の片持梁部と、付勢された前記スイッチを止める第２の片持梁部で構成されたものである。
【００１４】
これによって、第１の片持梁部に付勢されたスイッチが保持部材から抜け落ちることはなく、組立時の持ち運びが容易になる。
【００１５】
次に請求項４に記載の発明は、請求項３に記載の発明において、前記第１の片持梁部は、互いに向かい合い、かつ自由端が近づく方向に傾いているものであり、スイッチへ左右均等な付勢力が働くこととなり、保持されたときの姿勢が安定しスイッチ動作が安定する。
【００１６】
次に請求項５に記載の発明は、請求項３に記載の発明において、前記第２の片持梁部の自由端に、前記スイッチを止める係止部を設けたものであり、スイッチは第１の片持梁部によって付勢された状態で常に係止部の位置で停止するので、保持部材に保持された状態で持ち運びされても、ガタツキ、位置ズレがなく、持ち運び時にスイッチへ機械的ストレスを与えず、性能が安定する。
【００１７】
次に請求項６に記載の発明は、請求項３に記載の発明において、前記第２の片持梁部は、前記第１の片持梁部が前記スイッチを付勢する方向に対して垂直な方向へ前記スイッチを付勢するものであり、スイッチは上下左右の方向から付勢力で支持されるので、たとえスイッチの外観寸法がバラツクことがあっても、その寸法に対して各片持梁の撓み量が変動してくれるので、スイッチの保持位置が安定する。
【００１８】
次に請求項７に記載の発明は、請求項３に記載の発明において、前記第１の片持梁部と前記第２の片持梁部に保持された前記スイッチは、前記ケースに収納されたとき、前記凸部と前記第１の片持梁部とによって挟まれ支持されるものであり、スイッチがケースに収納された後は、第１の片持梁部がスイッチを凸部に押し当てる状態となり位置が安定する。
【００１９】
次に請求項８に記載の発明は、請求項５に記載の発明において、前記スイッチが前記ケースに収納されたとき、前記凸部は前記第２の片持梁部の係止部から前記スイッチを引き離す方向に前記スイッチを押すものであり、第１の片持梁部によって付勢されたスイッチは、第２の片持梁部の係止部による停止位置から、ケースの凸部による停止位置へ確実に移行し、容易に位置が安定する。
【００２０】
次に請求項９に記載の発明は、請求項８に記載の発明において、前記凸部の前記スイッチと接する部分を平面としたものであり、スイッチが保持部材に傾いた状態で保持されていても、ケースへの収納時に凸部の平面にスイッチが押しつけられるので、正規姿勢へ矯正されることととなり、動作の信頼性が向上する。
【００２１】
次に請求項１０に記載の自動製氷機の駆動装置の製造方法の発明は、氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースと、前記保持部材に前記スイッチをスナップフィットで拘束する第１の片持梁部と第２の片持梁部を設け、前記スイッチを前記第２の片持梁部の自由端側から前記第１の片持梁部側に向かって挿入することで前記保持部材に保持させ、前記保持部材を前記ケースに収納することで、前記スイッチはさらに第１の片持梁部側へ押込まれ所定位置に固定されるものである。
【００２２】
これによって、プリント基板、ハンダを使用しなくても、スイッチを所定の位置に確実に固定することができる。
【００２３】
【発明の実施の形態】
（実施の形態１）
図１は本発明による自動製氷機の駆動装置の実施の形態１の周辺を示す正面図、図２は同実施の形態の内部を示す斜視図、図３は同実施の形態の内部部品を示す要部斜視図、図４は同実施の形態における保持部材上の部品を示す斜視図、図５は同実施の形態における保持部材上の部品を収納したケースを示す断面斜視図、図６は同実施の形態におけるスイッチ組込前の保持部材を示す斜視図、図７は同実施の形態におけるスイッチ組込前の片持梁を示す斜視図、図８は同実施の形態におけるスイッチの周辺を示す断面図である。
【００２４】
図１において、自動製氷機１０は、給水されて氷を生成する製氷皿１１と、製氷皿１１を回転させ捻りを与えて離氷させる駆動装置１２と、製氷皿１１の下方にあって離氷された氷を蓄える貯氷箱１３と、駆動装置１２に駆動され貯氷箱１３内の氷量を検知する検氷レバー１４とで構成されている。
【００２５】
図２において、本体１５は駆動装置１２の外郭を形成し、ケース１６とカバー１７から成る。（なお、図２ではカバー１７は２点鎖線により外形だけを示し、内部を透視したように画いている。）ケース１６とカバー１７は、カバー１７に設けられた梁１７ａがケース１６に設けられた爪１６ａに掛かることで合体し、さらにネジ穴１８に沿ってタッピンネジで締め付ける。
【００２６】
ケース１６には、図５で示すようにスイッチ３２のボタン３２ｂとは反対の方向からスイッチ３２を支持する凸部１６ｃが設けられている。また、凸部１６ｃはスイッチ３２と接する部分を平面としたので、凸部１６ｃの平面にスイッチ３２が押しつけられると、正規姿勢へ矯正される。
【００２７】
モータ１９は、図４で示すようにシャフト１９ａを有し、シャフト１９ａには矩形状の連結板２０が圧入固定されている。
【００２８】
図３において、ウォーム歯車２１は連結板２０によってモータ１９の回転を伝達され、回転軸の一端をケース１６に設けられた軸受に支持される。
【００２９】
ウォームホイール２２はウォーム歯車２１から回転を伝達され、その回転軸はウォーム歯車２１の回転軸と垂直である。
【００３０】
第１ピニオン歯車２３はウォームホイール歯車２２に同軸で一体的に形成され、ウォームホイール歯車２２と同じ角速度で回転する。
【００３１】
第１歯車２４は第１ピニオン歯車２３の回転を伝達され、第２ピニオン歯車２５は第１歯車２４に同軸で一体的に形成され、第１歯車２４と同じ角速度で回転する。
【００３２】
図２において、出力歯車２６は第２ピニオン歯車２５の回転を伝達され、回転軸に沿って本体１５の内部からカバー１７の外側へ突出した出力軸２７を回転させる。
【００３３】
出力歯車２６はケース１６の内底面から鉛直方向に突出する軸１６ｂ（図５、図９参照）と、出力軸２７が貫通するカバー１７に設けられた軸受穴１７ｂによって回転自由に支持されている。
【００３４】
なお、出力歯車２６の端面には検氷軸操作カム２８、スイッチ操作カム２９が設けられているが、図示していない。
【００３５】
検氷軸３０は検氷軸操作カム２８（図示せず）に従って回動し、検氷軸３０の一端は検氷軸操作カム２８に従うカムフォロー３０ａ（図３参照）を成し、他端は本体１５の外部に出て検氷レバー１４が接続されるジョイント３０ｂを成す。
【００３６】
スイッチレバー３１はスイッチ操作カム２９（図示せず）に従って変位するものであり、スイッチ操作カム２９に従うカム用突起３１ａと、後述のスイッチを操作する操作用突起３１ｂ、氷量不足時に検氷軸３０のカムフォロー３０ａが当接して動作を阻止する阻止用突起３１ｃと、ケース１６に支持される軸３１ｄから成る（図３、図５参照）。
【００３７】
図６において、スイッチ３２はスイッチレバー３１によって操作されるものであり、スイッチ本体３２ａと、スイッチレバー３１の操作用突起３１ｂとの当接によって接点を開閉させるボタン３２ｂと、２本の電極リード３２ｃから成る。
【００３８】
ボタン３２ｂはスイッチ本体３２ａの一面から鉛直方向に突出し、２本の電極リードはボタン３２ｂと反対側の面から突出している。
【００３９】
図６、図７において、３３はスイッチ３２を位置決めする保持部材であり、板状に成形された保持部材３３には板厚方向に突出しスイッチ３２を拘束する複数（３個）の片持梁３４を有し、各片持梁は、スイッチ３２が挿入される角穴からなるスイッチ着脱ゲート３５を囲むように立っている。
【００４０】
片持梁３４は、向い合う２つの片持梁からなる第１の片持梁部３４１と、第１の片持梁部３４１とは反対側に延びる１つの片持梁からなる第２の片持梁部３４２とで構成されている。
【００４１】
第１の片持梁部３４１の２つの片持梁は、スイッチ着脱ゲート３５を挟んで向い合い、互いに自由端が近づく方向に傾いており、これによって、スイッチ３２が挿入されるとスイッチ本体３２ａの４側面のうちの２側面の角部が、第１の片持梁部３４１によって付勢されるようになり、その付勢方向はスイッチ３２が操作される方向と一致する。
【００４２】
第２の片持梁部３４２は第１の片持梁３４１が対面していない側に位置し、第１の片持梁部３４１によって付勢されたスイッチ３２を停止させて、スイッチ３２を所定の位置に保持させている。
【００４３】
スイッチ本体３２ａの片持梁３４と対面しない側面は保持部材３３のスイッチ着脱ゲート３５から垂直に立ち上がった薄壁３６に保護されている。
【００４４】
保持部材３３には片持梁３４以外に電極リード３２ｃに結合されたコードを集合させて結束するクランプ３７が設けられており、ケース１６のコード出口近傍に位置する。これで、スイッチ３２とコードを保持部材上に集積できる。
【００４５】
図４、図６において、保持部材３３はモータ１９を保持するモータ保持部３８を有し、モータ保持部３８はモータ１９本体が収まる枠３８ａと、モータ１９の本体端面をスナップフィットでつかむ爪３８ｂ（図６参照）から成る。
【００４６】
さらに、保持部材３３にはケース１６に設けられた軸１６ｂに嵌合する嵌合孔３９が設けられており、嵌合孔３９をケース１６の軸１６ｂに沿わせて挿入していくことで保持部材３３はケース１６内に位置決めされて収納される。
【００４７】
さらに、保持部材３３には片持梁３４が突出する側とは反対側の面に互いに対向する隔壁４０が面に対して垂直方向に突出しており、隔壁４０はスイッチ３２の電極リード３２ｃの電気絶縁として機能し、且つ保持部材３３をケース１６内に収納した際に底面に対する位置決めとしての機能も発揮する。
【００４８】
また、隔壁４０は保持部材３３の補強リブとしても働き、板厚方向の撓みを防止しスイッチ位置を安定させる。
【００４９】
４１は電極リード３２ｃに結合されたコードであり、電極リード３２ｃとコード４１の芯線４１ａを重ねた部分に黄銅製の連結材４２で囲みかしめることで機械的にも電気的にも結合が完了する。
【００５０】
本実施の形態では、スイッチ３２の電極リード３２ｃにあらかじめコード４１を結合させた状態で、スイッチ３２のスイッチ本体３２ａを保持部材３３の片持梁３４に囲まれたスイッチ着脱ゲート３５から挿入する。
【００５１】
スイッチ３２が片持梁３４に拘束された状態で電極リード３２ｃを保持部材３３の隔壁４０内に挟み込むように折り込むと、コード４１は保持部材３３のクランプ３７側へ導かれる。
【００５２】
なお、モータ１９にもモータコード４３が接続されているので、本実施の形態では保持部材３３にモータコード４３用の第２クランプ４４を設けており、モータコード４３は第２クランプ４４で一端結束されたのち、クランプ３７でコード４１と共に結束されて、ケース１６のコード出口へ導かれている。
【００５３】
以上のように構成された実施の形態１について、その動作を説明する。
【００５４】
製氷皿１１に給水された水が凍結し氷が生成されると、モータ１９は制御部（図示せず）から給電を受け正回転（モータシャフト１９ａ側からみて時計方向回転）する。モータ１９の回転はウォーム歯車２１、ウォームホイール歯車２２、第１ピニオン歯車２３、第１歯車２４、第２ピニオン歯車２５、出力歯車２６を介して出力軸２７に伝わる。
【００５５】
出力軸２７の回転は製氷皿１１に伝達され、製氷皿１１は水平位置（原点位置）から回転をし始め、１３０回転したところで製氷皿１１のコーナーに当接片（図示せず）が当り、出力軸２７は１６０まで回転するが製氷皿１１のコーナーが回転阻止されるので製氷皿１１は３０捻れて氷を放出する（これを離氷という）。
【００５６】
出力軸２７は０〜１６０まで回転するが、出力歯車２６の端面に設けられたスイッチ操作カム２９にスイッチレバー３１のカム用突起３１ａが従動し、軸３１ｄを中心に操作用突起３１ｂが回動し、スイッチ３２のボタン３２ａが操作されるので所定の位置で信号を発生する。
【００５７】
本実施の形態では、貯氷箱１３内に氷量が不足している場合は、出力軸が０〜８０まではＨｉ信号を出力し、以後Ｌｏ信号を出力し、１６０で再びＨｉ信号を出力する。
【００５８】
また、貯氷箱１３内に氷量が十分有る場合は、出力軸が０〜４５まではＨｉ信号を出力し、以後Ｌｏ信号を出力し、１６０°で再びＨｉ信号を出力する。
【００５９】
なお、スイッチ３２はボタン３２ａをスイッチレバー３１の操作用突起３１ｂで押されたときにＬｏ信号を出力し、ボタン３２ａから操作用突起３１ｂが離れたときにＨｉ信号を出力する。
【００６０】
貯氷箱１３内に氷が不足しているときは、検氷レバー１４が貯氷箱１３内の深くまで進入するので、検氷軸３０の回動角が大きくなり、カムフォロー３０ａの一部がスイッチレバー３１の阻止用突起３１ｃを押え込み、操作用突起３１ｂがボタン３２ｂを押さえないようにすることで、Ｈｉ信号の出力範囲が氷量十分時に比べて長くなるようにしている。
【００６１】
スイッチレバー３１の操作用突起３１ｂは、スイッチ３２のボタン３２ｂへの当接・離脱を繰り返すが、スイッチ３２は片持梁３４によって保持部材３３に拘束されているので、スイッチ本体３２が位置ずれすることはなく、その上、保持部材３３は片持梁３４の反対側に２つの電極リード３２ｂを絶縁する隔壁４０を設けており、これがケース１６の底面に対する位置決めの機能を果たし、保持部材３３が位置ずれすることない。
【００６２】
また、ケース１６の軸１６ｂに保持部材３３の嵌合孔３９が嵌合しているので保持部材３３が平面方向に位置ずれすることもなく、スイッチ３２の位置は常に安定している。
【００６３】
以上のように、本実施の形態における自動製氷機の駆動装置は、製氷皿の位置を検出するスイッチ３２と、スイッチ３２を保持する保持部材３３と、これらの部品を収納するケース１６とで構成し、保持部材３３にスイッチ３２をスナップフィットで拘束する複数の片持梁３４を設け、複数の片持梁３４の一部はスイッチ３２が操作される方向と同じ方向にスイッチ３２を付勢するようにした。
【００６４】
これによって、片持梁を撓ませながらスイッチ３２を装着すればスナップフィットで保持部材３３に装着される。さらにスイッチ３２は所定の方向に付勢されているのでガタツキなく保持できるので、プリント基板やハンダを使用する必要がなく、環境負荷物質である鉛の使用を抑制することができる。
【００６５】
また、ケース１６にスイッチが付勢されている方向とは反対の方向からスイッチ３２を支持する凸部１６ｃを設けたので、付勢されたスイッチ３２が凸部１６ｃで位置決めされ安定する。
【００６６】
また、複数の片持梁３４は、スイッチ３２が操作される方向と同じ方向へスイッチ３２を付勢する第１の片持梁部３４１と、付勢されたスイッチ３２を止める第２の片持梁部３４２で構成したので、第１の片持梁部３４１に付勢されたスイッチが保持部材３３から抜け落ちることはなく、組立時の持ち運びが容易である。
【００６７】
また、第１の片持梁部３４１は、互いに向かい合い、かつ自由端が近づく方向に傾いているので、スイッチ３２へ左右均等な付勢力が働くこととなり、保持されたときの姿勢が安定しスイッチ３２の動作が安定する。
【００６８】
また、第２の片持梁部３４２の自由端に、スイッチ３２を止める係止部３４２ａを設けたので、スイッチ３２は第１の片持梁部３４１によって付勢された状態で常に係止部３４２ａの位置で停止し、保持部材３３に保持された状態で持ち運びされても、ガタツキ、位置ズレがなく、持ち運び時にスイッチ３２へ機械的ストレスを与えず、性能が安定する。
【００６９】
また、第２の片持梁部３４２は、第１の片持梁部３４１がスイッチ３２を付勢する方向に対して垂直な方向へスイッチ３２を付勢するので、スイッチ３２は上下左右の方向から付勢力で支持されることになり、たとえスイッチ３２の外観寸法がバラツクことがあっても、その寸法に対して各片持梁の撓み量が変動し、スイッチ３２の保持位置が安定する。
【００７０】
また、第１の片持梁部３４１と第２の片持梁部３４２に保持されたスイッチ３２は、ケース１６に収納されたとき、凸部１６ｃと第１の片持梁部３４１とによって挟まれ支持されるので、スイッチ３２がケース１６に収納された後は、第１の片持梁部３４１がスイッチ３２を凸部１６ｃに押し当てる状態となり位置が安定する。
【００７１】
また、スイッチ３２がケース１６に収納されたとき、凸部１６ｃは第２の片持梁部３４２の係止部３４２ａからスイッチ３２を引き離す方向にスイッチ３２を押すので、第１の片持梁部３４１によって付勢されたスイッチ３２は、第２の片持梁部３４２の係止部３４２ａによる停止位置から、ケース１６の凸部１６ｃによる停止位置へ確実に移行し、容易に位置が安定する。
【００７２】
また、凸部１６ｃのスイッチ３２と接する部分を平面としたので、スイッチ３２が保持部材３３に傾いた状態で保持されていても、ケース１６への収納時に凸部１６ｃの平面にスイッチ３２が押しつけられるので、正規姿勢へ矯正されることととなり、動作の信頼性が向上する。
【００７３】
また、スイッチ３２を第２の片持梁部３４２の自由端側から第１の片持梁部３４１側に向かって挿入し保持部材３３に保持させ、保持部材３３をケース１６に収納することで、スイッチ３２はさらに第１の片持梁部３４１側へ押込まれ所定位置に固定される。
【００７４】
これによって、プリント基板、ハンダを使用しなくても、スイッチを所定の位置に確実に固定することができる。
【００７５】
【発明の効果】
以上説明したように、本発明の請求項１に記載の発明は、氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースとで構成され、前記保持部材に前記スイッチをスナップフィットで拘束する複数の片持梁を設け、前記複数の片持梁の一部は前記スイッチが操作される方向と同じ方向に前記スイッチを付勢する構成である。
【００７６】
これによって、片持梁を撓ませながらスイッチを装着すればスナップフィットで保持部材に装着される。さらにスイッチは所定の方向に付勢されているのでガタツキなく保持でき、プリント基板やハンダを使用する必要がなく、環境負荷物質である鉛の使用を抑制することができる。
【００７７】
また、請求項２に記載の発明は、請求項１に記載の発明において、前記ケースに前記スイッチが付勢されている方向とは反対の方向から前記スイッチを支持する凸部を設けたものであり、付勢されたスイッチが凸部で位置決めされるので位置が安定する。
【００７８】
また、請求項３に記載の発明は、請求項１に記載の発明において、前記複数の片持梁は、前記スイッチが操作される方向と同じ方向へ前記スイッチを付勢する第１の片持梁部と、付勢された前記スイッチを止める第２の片持梁部とで構成されたものである。
【００７９】
これによって、第１の片持梁部に付勢されたスイッチが保持部材から抜け落ちることはなく、組立時の持ち運びが容易になる。
【００８０】
また、請求項４に記載の発明は、請求項３に記載の発明において、前記第１の片持梁部は、互いに向かい合い、かつ自由端が近づく方向に傾いているものであり、スイッチへ左右均等な付勢力が働くこととなり、保持されたときの姿勢が安定しスイッチ動作が安定する。
【００８１】
また、請求項５に記載の発明は、請求項３に記載の発明において、前記第２の片持梁部の自由端に、前記スイッチを止める係止部を設けたものであり、スイッチは第１の片持梁部によって付勢された状態で常に係止部の位置で停止するので、保持部材に保持された状態で持ち運びされても、ガタツキ、位置ズレがなく、持ち運び時にスイッチへ機械的ストレスを与えず、性能が安定する。
【００８２】
また、請求項６に記載の発明は、請求項３に記載の発明において、前記第２の片持梁部は、前記第１の片持梁部が前記スイッチを付勢する方向に対して垂直な方向へ前記スイッチを付勢するものであり、スイッチは上下左右の方向から付勢力で支持されるので、たとえスイッチの外観寸法がバラツクことがあっても、その寸法に対して各片持梁の撓み量が変動し、スイッチの保持位置が安定する。
【００８３】
また、請求項７に記載の発明は、請求項３に記載の発明において、前記第１の片持梁部と前記第２の片持梁部に保持された前記スイッチは、前記ケースに収納されたとき、前記凸部と前記第１の片持梁部とによって挟まれ支持されるものであり、スイッチがケースに収納された後は、第１の片持梁部がスイッチを凸部に押し当てる状態となり位置が安定する。
【００８４】
また、請求項８に記載の発明は、請求項５に記載の発明において、前記スイッチが前記ケースに収納されたとき、前記凸部は前記第２の片持梁部の係止部から前記スイッチを離す方向に前記スイッチを押すものであり、第１の片持梁部によって付勢されたスイッチは、第２の片持梁部の係止部による停止位置から、ケースの凸部による停止位置へ確実に移行し、容易に位置が安定する。
【００８５】
また、請求項９に記載の発明は、請求項８に記載の発明において、前記凸部の前記スイッチと接する部分を平面としたものであり、スイッチが保持部材に傾いた状態で保持されていても、ケースへの収納時に凸部の平面にスイッチが押しつけられるので、正規姿勢へ矯正され、動作の信頼性が向上する。
【００８６】
また、請求項１０に記載の自動製氷機の駆動装置の製造方法の発明は、氷を生成した製氷皿に捻りを与えて離氷させる自動製氷機の駆動装置において、所定の位置で操作されて前記製氷皿の位置を検出するスイッチと、前記スイッチを保持する保持部材と、これらの部品を収納するケースと、前記保持部材に前記スイッチをスナップフィットで拘束する第１の片持梁部と第２の片持梁部を設け、前記スイッチを前記第２の片持梁部の自由端側から前記第１の片持梁部側に向かって挿入することで前記保持部材に保持させ、前記保持部材を前記ケースに収納することで、前記スイッチはさらに第１の片持梁部側へ押込まれ所定位置に固定されるものである。
【００８７】
これによって、プリント基板、ハンダを使用しなくても、スイッチを所定の位置に確実に固定することができる。
【図面の簡単な説明】
【図１】本発明による自動製氷機の駆動装置の実施の形態１の周辺を示す正面図
【図２】同実施の形態の内部を示す斜視図
【図３】同実施の形態の内部部品を示す要部斜視図
【図４】同実施の形態における保持部材上の部品を示す斜視図
【図５】同実施の形態における保持部材上の部品を収納したケースを示す斜視図
【図６】同実施の形態におけるスイッチ組込前の保持部材を示す斜視図
【図７】同実施の形態におけるスイッチ組込前の片持梁を示す斜視図
【図８】同実施の形態におけるスイッチの周辺を示す断面図
【図９】従来の自動製氷機の駆動装置を示す断面図
【符号の説明】
１０  自動製氷機
１１  製氷皿
１２  駆動装置
１６  ケース
１６ｂ  軸
１６ｃ  凸部
３２  スイッチ
３２ｂ  ボタン
３２ｃ  電極リード
３３  保持部材
３４  片持梁
３４ａ  掛り爪
３５  着脱ゲート
３６  切欠き
３７  クランプ
３９  嵌合孔
４０  隔壁
４１  コード
【図１】
2004156822.tif 000003
【図２】
2004156822.tif 000004
【図３】
2004156822.tif 000005
【図４】
2004156822.tif 000006
【図５】
2004156822.tif 000007
【図６】
2004156822.tif 000008
【図７】
2004156822.tif 000009
【図８】
2004156822.tif 000010
【図９】
2004156822.tif 000011